(57)【要約】【課題】  テレビジョン受像機などの電子機器において、高圧リード線と他の部品との間の絶縁空間距離を確保するための高圧リード線保持具の形状を工夫することにより簡単な作業で、効果的に高圧リード線からの絶縁空間距離を確保することを可能にした実用性に優れた高圧リード線保持具を備えた電子機器を提供することを目的とする。【解決手段】  高圧リード線保持具２０は高圧リード線１０の一部を狭持するリード線狭持部２１を設け、その軸線方向に連続させて前記高圧リード線１０を直線的に保持するリード線支持部２２を形成し、前記リード線狭持部２１から放射状に延設する支持部２４を介して前記リード線狭持部２１と一体形成する略円形状の外縁部２５を備え、前記リード線狭持部２１と外縁部２５の一部を切り欠いてリード線導入部２３と開口部２６を設け、前記外縁部２５のリード線導入部２３には該リード線導入部２３を閉じた状態で保持する係合部２７を形成した。【選択図】      図１
2006019395.tif 000002
【特許請求の範囲】
【請求項１】
電子機器内に配置された高圧リード線と前記電子機器内に設けた他の部品との絶縁空間距離を確保するための柔軟性を有する絶縁物により形成された保持具を備えた電子機器において、該保持具は、高圧リード線の一部を狭持して固定するためのリード線狭持部と、該リード線狭持部から放射状に延設する支持部を介して前記リード線狭持部と一体形成する略円形状の外縁部を備え、前記リード線狭持部と外縁部の一部を切り欠いてリード線導入部を形成するとともに、該導入部と間隔をおいて外縁部の一部を切り欠いて開口部を設け、かつ、前記外縁部のリード線導入部には該リード線導入部を閉じた状態で保持する係合手段を形成するとともに、該リード線狭持部を軸線方向に連続させて前記高圧リード線を直線的に保持するリード線支持部を形成したことを特徴とする高圧リード線保持具を備えた電子機器。
【請求項２】
前記支持部と外縁部とを前記リード線支持部に一定間隔毎に複数、一体形成するとともに、少なくとも１個以上の支持部と外縁部を有するように前記リード線支持部を切り分けて使用されることを特徴とする請求項１記載の高圧リード線保持具を備えた電子機器。
【請求項３】
前記リード線支持部に、該リード線支持部を切断する際の指標となる切り欠き部を形成したことを特徴とする請求項２記載の高圧リード線保持具を備えた電子機器。
【請求項４】
前記電子機器は、少なくとも映像を表示する表示部と該表示部に高電圧を供給するフライバックトランスとを備えた映像表示機器であることを特徴とする請求項１、請求項２、または請求項３記載の高圧リード線保持具を備えた電子機器。
【発明の詳細な説明】
【技術分野】
【０００１】
本発明は、テレビジョン受像機などの電子機器において、ブラウン管に高電圧を供給するための高圧リード線と他の電子部品との間の絶縁空間距離を確保するための技術分野に関する。
【背景技術】
【０００２】
テレビジョン受像機などの電子機器に使用される高圧リード線は、一般に電子機器内に配置された後は屈曲を繰り返し受けることがないため、その導体となる芯線は比較的太く、且つ少ない本数の銅線が同心撚りされ、さらに高電圧によるコロナ放電にも耐えるために厚い被覆が成されていることが多いことから一般的な電子機器の電源コード類と比べてかなり剛性が高いものといえる。また、前記高圧リード線が製造される電線ケーブルメーカにおいて、絶縁用樹脂の連続被覆工程では、長尺の前記高圧リード線を連続して加工することを容易にするために、略円筒形をした巻取り胴部の両端に略円盤状の鍔を有する大きなドラムに高圧リード線は巻き取られ、後に大きなドラムと類似形状をした販売用の小型なボビンに巻き替えられてから該高圧リード線の使用者に納入されるケースが多い。こうした場合、小型なボビンへの巻き替え時においては、前記長尺の高圧リード線が巻き取られた重量が重い大きなドラムは、円盤状の鍔の片面を床面に据え、略円筒形の胴部の軸線方向である縦方向に持ち上げるような形で該高圧リード線を繰り出して、別に用意した前記小型ボビンを軸回転させながら巻き取るといった方法が多用されている。これにより、前記高圧リード線は前記大きなドラムの巻き胴に巻き取られていたときの曲率を記憶した大きな巻き癖と、前記縦方向に持ち上げるような形で繰り出された結果、大きなドラムの１周に対して１回の割合で該リード線の軸方向に捻られながら前記小型ボビンに巻き替えられたときの捻り癖、さらに小型ボビンに巻き取られたことによる曲率の小さな巻き癖が加わって該高圧リード線に形状記憶されており、該高圧リード線を使用するために前記小型ボビンから繰り出して切断したときは形状記憶された略弓形に湾曲した巻き癖と螺旋状の捻り癖が合わされて発現することが多い。このため切断後にこれら高圧リード線に形状記憶された巻き癖などを取り除こうと該高圧リード線をしごくとか曲げるなどによりスタイル取りを行っても剛性を有するため前記巻き癖などは容易に取り除くことが出来ず、電子機器内において適正なスタイル取りが成されない場合が多い。従って、電子機器内に配置された前記高圧リード線にこれら巻き癖や捻り癖などの線癖が残った場合は、他の電子部品と接触するとか近接してしまうこととなる。
【０００３】
このような線癖により高圧リード線が他の電子部品と接触や接近することを防止する方法ついては、例えば次のような高圧リード線保持具の従来技術が知られている。
【０００４】
特許文献１に提案されている高圧リード線保持具の形状は平面形状を成しており、通常は該電子機器内に配置された高圧リード線の曲がり癖や捻り癖などの状況により一般的には１個から２個を取り付けるが前記絶縁空間距離の確保が不安定であるため、後の別工程で再度絶縁空間距離をチェックして、該絶縁空間距離が確保されていないときは線癖の矯正を加え、適切なスタイル取りを行うとか、該高圧リード線保持具を追加して取り付けるなどが行われるといった煩雑な作業を必要としていた。
【０００５】
また、特許文献２に提案されている高圧リード線の保持具は、図１１に示すように高圧リード線保持具を絶縁物にて形成し、その形状を柔軟性のある柱状部３２に高圧リード線狭持部２１を複数個一体に構成し、高圧リード線狭持部２１を高圧リード線１０に取り付け、前記柱状部３２を螺旋状に変形させる構造とすることにより、高圧リード線１０の軸方向に対して螺旋状に連続的に形成した前記柱状部３２が螺旋状の外縁部２５となることにより他の部品との間に絶縁空間距離を確実に確保することが出来るが、高圧リード線１０に該高圧リード線保持具２０を取り付けるに際しては、前記高圧リード線１０に螺旋状に巻きつけながら略フック形状を呈した複数の高圧リード線狭持部２１を一個ずつ順次固定して行く必要があり、このような作業は煩雑であり、やりにくいといわざるを得ない。
【０００６】
【特許文献１】意願平０６−２３６１１号公報
【特許文献２】特開平０６−１３２６７４号公報
【発明の開示】
【発明が解決しようとする課題】
【０００７】
前記従来技術によれば、特許文献１に提案された平面形状を成した高圧リード線保持具の場合、高圧リード線の曲がり癖や捻り癖などの状況により、一般的には１個から２個を取り付けるが、前記高圧リード線保持具は平面形状を成しているため、線癖により変形した前記高圧リード線を軸線方向に固定出来ないため、高圧リード線が線癖により移動して前記絶縁空間距離の確保が不安定となり、後の別工程で再度絶縁空間距離をチェックして、該絶縁空間距離が確保されていないときは線癖の矯正を加え、適切なスタイル取りを行うとか、該高圧リード線保持具を追加して取り付けるなどが行われるといった煩雑な作業を必要としていた。また、その取り付け作業においては、平面状の前記高圧リード線保持具を一個ずつ手に持って取り付け方向や取付け位置を見極めながら取り付けるといった煩雑な作業が必要であり、取り付け作業工数のアップとなっていた。
【０００８】
また、特許文献２に提案された高圧リード線保持具においては、高圧リード線に該高圧リード線保持具を取り付けるに際して、前記高圧リード線に螺旋状に巻きつけながら略フック形状を呈した複数の高圧リード線狭持部を一個ずつ順次固定して行く必要があり、多連化されているにも関わらず煩雑でやりにくい作業であり、取り付け作業工数がアップするといわざるを得ない。
【０００９】
本発明は、テレビジョン受像機などの電子機器において、高圧リード線と他の部品との間の絶縁空間距離を確保するための高圧リード線保持具の形状を工夫することにより簡単な作業で、効果的に高圧リード線からの絶縁空間距離を確保することを可能にした実用性に優れた高圧リード線保持具を備えた電子機器を提供することを目的とする。
【課題を解決するための手段】
【００１０】
本発明の請求項１記載の高圧リード線保持具を備えた電子機器は、電子機器内に配置された高圧リード線と前記電子機器内に設けた他の部品との絶縁空間距離を確保するための柔軟性を有する絶縁物により形成された保持具を備えた電子機器において、該保持具は、高圧リード線の一部を狭持して固定するためのリード線狭持部と、該リード線狭持部から放射状に延設する支持部を介して前記リード線狭持部と一体形成する略円形状の外縁部を備え、前記リード線狭持部と外縁部の一部を切り欠いてリード線導入部を形成するとともに、該導入部と間隔をおいて外縁部の一部を切り欠いて開口部を設け、かつ、前記外縁部のリード線導入部には該リード線導入部を閉じた状態で保持する係合手段を形成するとともに、該リード線狭持部を軸線方向に連続させて前記高圧リード線を直線的に保持するリード線支持部を形成したことを特徴とする。
【００１１】
請求項１の構成によれば、この高圧リード線保持具は高圧リード線の一部を狭持して固定するためのリード線狭持部と、該リード線狭持部から放射状に延設する支持部を介して前記リード線狭持部と一体形成する略円形状の外縁部を備え、前記リード線狭持部と外縁部の一部を切り欠いてリード線導入部を形成してあり、前記高圧リード線を前記導入部に沿わせて挿入して取り付けることが容易であると共に、該導入部と間隔をおいて外縁部の一部を切り欠いて開口部を設けたことにより、リード線導入部を開く、またはこの開口部を閉じることで前記リード線導入部を開くなど、前記リード線導入部の開口は前記２種類の方法により容易に行うことが出来る。更に前記外縁部のリード線導入部には該リード線導入部を閉じた状態で保持する係合手段を形成したことでリード線狭持部に取り付けた後は係合手段によりリード線導入部を塞ぐことが出来るので、取り付けられた前記高圧リード線がリード線狭持部から外れることを防止するとともに、該リード線狭持部を軸線方向に連続させて前記高圧リード線を直線的に保持するリード線支持部を形成したことにより、従来のように平面形状の高圧リード線保持具では線癖により変形した前記高圧リード線を軸線方向に固定出来ないことで、前記絶縁空間距離の確保が不安定となるため、後の別工程で再度絶縁空間距離をチェックして、該絶縁空間距離が確保されていないときは線癖の矯正を加え、適切なスタイル取りを行うとか、該高圧リード線保持具を追加して取り付けるなどが行われるといった煩雑な作業は不要となり取り付け作業工数も軽減される。
【００１２】
本発明の請求項２記載の前記支持部と外縁部とを前記リード線支持部に一定間隔毎に複数、一体形成するとともに、少なくとも１個以上の支持部と外縁部を有するように前記リード線支持部を切り分けて使用されることを特徴とする。
【００１３】
請求項２の構成によれば、前記高圧リード線保持具には、前記支持部と外縁部とを前記リード線支持部に一定間隔毎に複数、一体形成したことにより、該高圧リード線保持具を高圧リード線に取り付けるだけで、従来の平面形状の高圧リード線保持具を軸線方向に同時に複数個取り付けたことと同じ作用が得られ、複数の高圧リード線保持具を取り付けるに際しては、従来のように１個ずつ手に持って取り付けるといった煩雑な作業は軽減される。また、少なくとも１個以上の支持部と外縁部を有するように前記リード線支持部を切り分けて使用することが出来るので、１個、２個、３個、と適時必要な数を有する数種類の高圧リード線保持具を得ることが出来る。
【００１４】
本発明の請求項３記載の高圧リード線保持具を備えた電子機器は、請求項１、請求項２に記載の高圧リード線保持具を備えた電子機器において、前記リード線支持部に、該リード線支持部を切断する際の指標となる切り欠き部を形成したことを特徴とする。
【００１５】
請求項３の構成によれば、前記リード線支持部に、該リード線支持部を切断する際の指標となる切り欠き部を形成したことにより、複数、一体に形成された前記高圧リード線保持具を軸線方向にほぼ同じ長さに切り揃えることを簡単に行うことが出来る。
【００１６】
本発明の請求項４記載の高圧リード線保持具を備えた電子機器は、請求項１、請求項２、または請求項３に記載の高圧リード線保持具を備えた電子機器において、少なくとも映像を表示する表示部と該表示部に高電圧を供給するフライバックトランスとを備えた映像表示機器であることを特徴とする
【００１７】
請求項４の構成によれば、フライバックトランスから表示部に供給する高電圧が印加される高圧リード線に形状記憶された略弓形に湾曲した巻き癖と螺旋状の捻り癖により、高圧リード線が他の電子部品と接触するとか近接してしまい、放電により電気回路などを破壊する恐れがある状況において、前記高圧リード線保持具を用いることにより絶縁空間距離を安定して確保することが出来る。
【発明の効果】
【００１８】
請求項１に係る高圧リード線保持具を備えた電子機器の発明によれば、この高圧リード線保持具は、高圧リード線の一部を狭持して固定するためのリード線狭持部と、該リード線狭持部から放射状に延設する支持部を介して前記リード線狭持部と一体形成する略円形状の外縁部を備えてあり、高圧リード線は放射状に延設した支持部により絶縁空間距離を確保し、さらに略円形状に形成した外縁部を備えたことにより高圧リード線を中心として、その周囲には略円盤状の絶縁空間領域を確保している。また、前記リード線狭持部と外縁部の一部を切り欠いてリード線導入部を形成するとともに、前記外縁部のリード線導入部には該リード線導入部を閉じた状態で保持する係合手段を形成するとともに、該リード線狭持部を軸線方向に連続させて前記高圧リード線を直線的に保持するリード線支持部を形成したことにより、該高圧リード線をリード線支持部の軸線方向の全長で狭持することが出来る。これにより、高圧リード線に形状記憶された略弓形に湾曲した巻き癖と螺旋状の捻り癖により高圧リード線が時間の経過と共に移動して他の電子部品と接触するとか近接してしまうといった問題は解消され、前記略円盤状の絶縁空間領域において、絶縁空間距離を安定して確保することが出来る。これにより、従来のように高圧リード線の軸線方向に対して保持することが出来ない平面形状の高圧リード線保持具では線癖による変形が時間の経過と共に変化し、前記絶縁空間距離の確保が不安定となるといった問題はなくなる。
【００１９】
請求項２に係る高圧リード線保持具を備えた電子機器の発明によれば、前記高圧リード線保持具には、前記支持部と外縁部とを前記リード線支持部に一定間隔毎に複数、一体に形成することにより、前記略円盤状の絶縁空間領域を高圧リード線の軸線方向に延伸することが可能となり、高圧リード線の周囲に略円柱状の絶縁空間領域を確保することが出来る。また、少なくとも１個以上の支持部と外縁部を有するように前記リード線支持部を切り分けて使用されることにより、高圧リード線に形状記憶された略弓形に湾曲した巻き癖と螺旋状の捻り癖の状況に合わせて任意の絶縁空間領域を確保する複数種の高圧リード線保持具を容易に得ることが出来る。
【００２０】
請求項３に係る高圧リード線保持具を備えた電子機器の発明によれば、前記リード線支持部に、該リード線支持部を切断する際の指標となる切り欠き部を形成したことにより、切り欠き部を残して前記高圧リード線保持具を使用する場合は、リード線支持部に設けた切り欠き部を前記リード線支持部の屈曲点とすることが出来ると共に、前記切り欠き部の開口側を外周側として曲げ方向を特定することが可能であり、前記高圧リード線に形状記憶された略弓形に湾曲した巻き癖と螺旋状の捻り癖の状況に合わせて該切り欠き部の方向を指定して取り付けることにより、限られた狭い電子機器内において適度な曲率で高圧リード線を曲げて収納することが出来ると共に、該リード線の曲げ方向を指定することにより、時間の経過においても安定した絶縁空間領域を容易に確保することが出来る。
【００２１】
請求項４に係る高圧リード線保持具を備えた電子機器の発明によれば、フライバックトランスから表示部に供給する高電圧が印加される高圧リード線に形状記憶された略弓形に湾曲した巻き癖と螺旋状の捻り癖は、該高圧リード線保持具の全長に亘り狭持され、前記高圧リード線を軸として任意の長さの前記略円柱状の絶縁空間領域に亘り安定した絶縁空間距離を確保することが出来ることにより、高圧リード線が他の電子部品と接触するとか近接してしまい放電により電気回路などを破壊する恐れは回避することが出来る。
【発明を実施するための最良の形態】
【００２２】
以下、本発明を実施するための最良の形態としての実施例を図１〜図１０により以下に説明する。もちろん、本発明は、その発明の趣旨に反さない範囲で、実施例において説明した以外のものに対しても容易に適用可能なことは説明を要するまでもない。
【００２３】
図１は本発明の一実施例における支持部と外縁部とを高圧リード線支持部に１個形成した高圧リード線保持具の斜視説明図であり、図２は本発明の一実施例における多連に形成した高圧リード線保持具の第一実施例を示す斜視説明図であり、図３は本発明の一実施例における多連に形成した高圧リード線保持具の第二実施例を示す斜視説明図である。図４は本発明の一実施例における多連に形成した高圧リード線保持具を所定の数に切り分けたときの第一実施例を示す斜視説明図である。また、図５は本発明の一実施例を示す多連に形成した高圧リード線保持具を所定の数に切り分けたときの第二実施例を示す斜視説明図である。
【００２４】
まず、前記支持部と外縁部とを高圧リード線支持部に１個形成した高圧リード線保持具について図１を参照しながら以下に説明する。
【００２５】
前記高圧リード線保持具２０は、柔軟性を有する絶縁物により形成されており、高圧リード線１０の一部を狭持して固定するためのリード線狭持部２１と、該リード線狭持部２１から放射状に延設する支持部２４を介して前記リード線狭持部２１と一体に形成する略円形状の外縁部２５を備え、前記リード線狭持部２１と外縁部２５の一部を切り欠いてリード線導入部２３を形成するとともに、該導入部２３と間隔をおいて外縁部２５の一部を切り欠いて開口部２６を設け、更に、前記外縁部２５のリード線導入部２３には該リード線導入部２３を閉じた状態で保持する係合部２７を形成するとともに、該リード線狭持部２１を軸線方向に連続させて前記高圧リード線１０を直線的に保持するリード線支持部２２を形成している。これにより、高圧リード線１０は軸線方向に長い前記リード線支持部２２によって保持され、且つ前記支持部２４を介して形成された外縁部２５により安定した絶縁空間距離を確保することが出来る。
【００２６】
続いて、多連に形成した高圧リード線保持具について図２及び図３を参照しながら以下に説明する。
【００２７】
図２に示すように前記支持部２４と外縁部２５とを前記リード線支持部２２に一定間隔毎に複数、一体に形成するとともに、両端に配置した前記支持部２４と外縁部２５から更に該リード線狭持部２１を軸線方向に連続させて前記高圧リード線１０を直線的に保持するリード線支持部２２を突き出して形成している。また、前記リード線支持部２２に、該リード線支持部２２を切断する際の指標となる切り欠き部３０を形成しており、複数、一体に形成された前記高圧リード線保持具２０は少なくとも１個以上の支持部２４と外縁部２５を有するように前記リード線支持部２２を切り分けて軸線方向に種類ごとにほぼ同じ長さに切り揃えることが簡単に出来る。更に、切り欠き部を残して前記高圧リード線保持具２０を使用する場合は、リード線支持部２２に設けた切り欠き部を前記支持部の屈曲点とすることが出来ると共に、前記切り欠き部３０の開口側を外周側として曲げ方向を特定すること出来る。
【００２８】
また、図３には、前記支持部２４と外縁部２５とを前記リード線支持部２２に一定間隔毎に複数、一体に形成するとともに、リード線狭持部２１は両端に配置した前記支持部２４と外縁部２５を終端として形成しており両端にリード線支持部２２の突出しが無い形状である。この形状は、高圧リード線１０が配置された電子機器（図示略）内部において高圧リード線１０に形状記憶された略弓形に湾曲した巻き癖と螺旋状の捻り癖が著しく前記高圧リード線１０の端部寄りで他の電子部品に近接してしまう恐れがあるときは前記外縁部２５を前記高圧リード線１０の端部に近づけて配置することにより絶縁空間距離を容易に確保することが可能な形状としている。
【００２９】
続いて、前記多連に形成した高圧リード線保持具を所定の数に切り分けたときについて図４及び図５を参照しながら以下に説明する。
【００３０】
図２に示された３連の高圧リード線保持具２０において、リード線支持部２２には切り欠き部３０を設けてあり、図３は、１箇所の該切り欠き部３０の位置で２つに切り分けたものである。この結果、前記３連の高圧リード線保持具２０からは、前記切り分けられた片方である１個と、２連の１個とで２種類の保持具２０が得られる。従って、前記切り分けをしない３連の保持具２０を合わせると、３種類の高圧リード線保持具２０を揃えることが出来る。この切り分け方によると、３種類とも保持具の両端にはリード線支持部２２の突出しを形成することが出来る。
【００３１】
次に、図３に示された両端にリード線支持部２２の突出しが無い３連の高圧リード線保持具２０において、図５は、中間に位置する前記支持部２４と外縁部２５の片端面の近傍で２つに切り分けたものである。この結果、該３連の高圧リード線保持具２０からは、片端側にリード線支持部２２が突出し、他方の端面は平坦な１個と、両端面が平坦な２連の１個とで２種類の保持具２０が得られる。従って、前記切り分けをしない３連の保持具２０を合わせると、３種類の高圧リード線保持具２０を揃えることが出来る。
【００３２】
次に、図６から図１０は本発明の一実施例を示す高圧リード線保持具の形状例を示す説明図である。高圧リード線保持具の形状例について以下に説明する。
【００３３】
図６はリード線狭持部２１から放射状に延設された支持部２４を連結する連結部３１を外縁部２５の内周側に追加して形成してあり、図７は図６で追加した連結部に届く支持部２４を追加して形成してある。また、図８は図６で追加した連結部３１の範囲を外縁部２５まで拡張して形成してあり、図９は図６で追加した連結部３１の範囲をリード線狭持部２１まで拡張して形成してある。さらに図１０は前記図８の外縁部２５の４箇所に開口部２６を追加した形状である。これら図６から図１０の形状は前記リード線支持部２２の突出しにより多連に形成された高圧リード線保持具２０において、軸線方向に長く形成された前記リード線支持部２２により、リード線導入部２３を広げて前記高圧リード線１０を取り付け易くするために補強したものである。さらに、図１０は開口部２６が４箇所追加したことにより、高圧リード線１０を前記導入部２３から挿入して取り付けるに際し、リード線導入部２３の外縁部２５側を両手で持って広げると、リード線導入部２３とリード線狭持部２１の上部が先に大きく開口し、続いて前記リード線狭持部２１の両脇部が、最後に前記リード線狭持部２１の底部まで広がることで、従来以上に前記リード線導入部２３と前記リード線狭持部２１、さらに近傍のリード線支持部２２の開口幅を大きく広げることが出来る。従って、多連に形成された高圧リード線保持具２０に前記高圧リード線１０を更に取り付け易くすることが出来る。
【００３４】
以上のように本実施例によれば、この高圧リード線保持具２０は、高圧リード線１０の一部を狭持して固定するためのリード線狭持部２１と、該リード線狭持部２１から放射状に延設する支持部２４を介して前記リード線狭持部２１と一体に形成する略円形状の外縁部２５を備えたことにより、略円形状に形成した外縁部２５の周囲には略円盤状の絶縁空間領域を確保している。また、前記リード線狭持部２１と外縁部２５の一部を切り欠いてリード線導入部２３を形成したことにより、前記高圧リード線１０を前記導入部２３に沿わせて挿入して取り付けることが容易であると共に、該導入部２３と間隔をおいて外縁部２５の一部を切り欠いて開口部２６を設けたことにより、高圧リード線１０に取り付けるときは、リード線導入部２３を手に持って開く、または前記開口部２６を閉じることにより前記リード線導入部２３を開くなど、前記リード線導入部２３の開口には前記２種類の操作方法により前記リード線導入部２３の開口を容易に行うことが出来る。更に、前記外縁部２５のリード線導入部２３には該リード線導入部２３を閉じた状態で保持する係合部２７を形成したことにより、リード線狭持部２１に取り付けた後は係合部２７によりリード線導入部２３を塞ぐことが出来るので、取り付けられた前記高圧リード線１０がリード線狭持部２３から外れることを防止することが出来る。更に該リード線狭持部２１を軸線方向に連続させて前記高圧リード線１０を直線的に保持するリード線支持部２２を形成したことにより、前記高圧リード線１０に形状記憶された略弓形に湾曲した巻き癖と螺旋状の捻り癖は該リード線支持部２２に狭持され、他の電子部品との接触や近接は防止することが出来るとともに絶縁空間距離を安定して確保することが出来る。
【００３５】
また、前記支持部２４と外縁部２５とを前記リード線支持部２２に一定間隔毎に複数、一体に形成し、多連を成したことにより、従来のように１個ずつ複数個の高圧リード線保持具２０を取り付ける作業が一回の取付けで済み、更に前記高圧リード線１０を軸として、その長手方向に複数の支持部２４と外縁部２５を所定の間隔で配置することにより、支持部２４と外縁部２５により形成された前記略円盤状の絶縁空間領域は高圧リード線１０の軸線方向に延伸することが可能となり、高圧リード線１０の周囲に略円柱状の絶縁空間領域を確保することが出来ると共に、後の別工程で再度絶縁空間距離をチェックして、不足であれば該高圧リード線保持具２０を追加して取り付けるなどや、連続的に形成した前記柱状部３２を前記高圧リード線１０に螺旋状に巻きつけながら略フック形状を呈した複数の高圧リード線狭持部２１を一個ずつ順次固定して行く必要もなく、これら煩雑でやりにくい作業は軽減され、取り付け作業工数のアップも軽減される。
【００３６】
更に、前記リード線支持部２２に、該リード線支持部２２を切断する際の指標となる切り欠き部３０を形成しており、複数、一体に形成された前記高圧リード線保持具２０は少なくとも１個以上の支持部２４と外縁部２５を有するように前記リード線支持部２２を切り分けて軸線方向に種類ごとにほぼ同じ長さに切り揃えることが簡単に出来るので、必要な数の支持部２４と外縁部２５、及び必要な長さのリード線支持部２２を有した高圧リード線保持具２０を容易に揃えることが出来ると共に、前記高圧リード線１０に形状記憶された略弓形に湾曲した巻き癖と螺旋状の捻り癖は該リード線支持部２２に狭持され、他の電子部品との接触や近接は防止することが出来ると共に、絶縁空間領域を安定して確保することが出来る。また、切り欠き部を残して前記高圧リード線保持具２０を使用する場合は、リード線支持部２２に設けた切り欠き部を前記支持部の屈曲点とすることが出来ると共に、前記切り欠き部３０の開口側を外周側として曲げ方向を特定することが可能であり、前記高圧リード線１０に形状記憶された略弓形に湾曲した巻き癖と螺旋状の捻り癖の状況に合わせて該切り欠き部の方向を指定して取り付けることにより、限られた狭い電子機器（図示略）内において適度な曲率で高圧リード線１０を曲げて収納することが出来ると共に、該リード線１０の曲げ方向を指定することにより、時間の経過においても安定した絶縁空間領域を容易に確保することが出来る。
【００３７】
さらに、フライバックトランスから表示部に供給する高電圧が印加される高圧リード線１０に形状記憶された略弓形に湾曲した巻き癖と螺旋状の捻り癖は、該高圧リード線保持具２０の軸線方向の全長に亘り狭持され、前記高圧リード線１０を軸として任意の長さの前記略円柱状の絶縁空間領域に亘り安定した絶縁空間距離を確保することが出来ることにより、高圧リード線１０が他の電子部品と接触するとか近接してしまい放電により電気回路などを破壊する恐れは回避することが出来る。
【００３８】
また、前記高圧リード線保持具２０の形状は図６から図１０まで各種の補強形状や取り付け易さを考慮した形状にすることが出来るので、多連に形成されたことによりリード線支持部２２に高圧リード線１０を取り付けることが難しくなるといった問題も解消することが出来る。
【００３９】
以上、本実施例を詳述したが、本発明は、前記実施例に限定されるものではなく、本発明の要旨の範囲内で種々の変形実施が可能である。例えば、複数の支持部２４と外縁部２５を一体に形成する数は３個に限らず、また、隣接して形成する複数の支持部２４と外縁部２５の間隔は該電子機器内に隣接する電子部品や配線基板などとの距離などの都合により変更は可能であり、更に、切り欠き３０は高圧リード線支持部の２２の開口側に限らず背面側に形成するなどの変更も可能であり、高圧リード線保持具２０の外縁部２５やリード線導入部２３の形状も使い易さを配慮して変更するなど前記実施例に限定されるものではなく、適宜選定すればよい。
【図面の簡単な説明】
【００４０】
【図１】本発明の一実施例を示す支持部と外縁部とをリード線支持部に１個形成した高圧リード線保持具の斜視説明図である。
【図２】本発明の一実施例における多連に形成した高圧リード線保持具の第一実施例を示す斜視説明図である。
【図３】本発明の一実施例における多連に形成した高圧リード線保持具の第二実施例を示す斜視説明図である。
【図４】本発明の一実施例における多連に形成した高圧リード線保持具を所定の数に切り分けたときの第一実施例を示す斜視説明図である。
【図５】本発明の一実施例における多連に形成した高圧リード線保持具を所定の数に切り分けたときの第二実施例を示す斜視説明図である。
【図６】本発明の一実施例における高圧リード線保持具の形状例の第一実施例を示す斜視説明図である。
【図７】本発明の一実施例における高圧リード線保持具の形状例の第二実施例を示す斜視説明図である。
【図８】本発明の一実施例における高圧リード線保持具の形状例の第三実施例を示す斜視説明図である。
【図９】本発明の一実施例における高圧リード線保持具の形状例の第四実施例を示す斜視説明図である。
【図１０】本発明の一実施例における高圧リード線保持具の形状例の第五実施例を示す斜視説明図である。
【図１１】従来の高圧リード線保持具を示す説明図である。
【符号の説明】
【００４１】
１０        高圧リード線
２０        高圧リード線保持具
２１        リード線狭持部
２２        リード線支持部
２３        リード線導入部
２４        支持部
２５        外縁部
２６        開口部
２７        係合部
【図１】
2006019395.tif 000003
【図２】
2006019395.tif 000004
【図３】
2006019395.tif 000005
【図４】
2006019395.tif 000006
【図５】
2006019395.tif 000007
【図６】
2006019395.tif 000008
【図７】
2006019395.tif 000009
【図８】
2006019395.tif 000010
【図９】
2006019395.tif 000011
【図１０】
2006019395.tif 000012
【図１１】
2006019395.tif 000013